(57)【特許請求の範囲】
【請求項１】
ガラスパネルのガラス枠にガラスを嵌める取付け構造において、ガラス枠は両縦枠と上枠及び下枠を枠組みし、その両面側内周にはガラス溝を設け、該ガラス溝の内片には内側ガラスビードを取付けると共に、外片には外側ガラスビードを取付けてガラスを内外ガラスビードで挟持し、下ガラス溝の底には弾性材を配置してガラスを載せ、内片と外片のガラス溝の入口付近には係止溝を設けて内側ガラスビード及び外側ガラスビードの係止片を係止し、さらにガラス溝に嵌らないで外に位置している内側ガラスビードの表片に設けた突片をガラス枠体に形成した凹溝に嵌合し、上記ガラス枠の縦枠は第１縦材の両面側に第２縦材を、該第２縦材の挿入片を第１縦材側に外方向へ延びた２本のアームにて形成した挿入溝に挿入すると共に掛止部に突部を係止して取付けた３ピース構造とし、そして縦枠の外側にスタッドが隙間なく嵌る凹部を有し、スタッドを抱き込むように概略コ形断面をしてスタッドの表面に沿って延びる第１縦材の内片と概略Ｌ形断面をした第２縦材の外片とでガラス溝を形成したことを特徴とするガラスパネルにおけるガラスの取付け構造。
【請求項２】
上記内側ガラスビード及び外側ガラスビードを概略Ｌ形断面とし、嵌入片をガラスと内片及び外片の間に嵌入し、表片はガラス溝に嵌めないで配置し、内側ガラスビードの突片は表片に形成した請求項１記載のガラスパネルにおけるガラスの取付け構造。
【発明の詳細な説明】
【技術分野】
【０００１】
本発明はガラスパネルを構成するガラス枠に形成したガラス溝にガラスを嵌めて取付ける構造に関するものである。
【背景技術】
【０００２】
間仕切りパネル装置にも色々な形態があり、金属製パネルを用いた構造に限ることなく、ガラスパネルを使用して構成した間仕切りパネル装置も色々知られている。ところで、ガラスパネルはガラス枠にガラスが嵌って構成されるが、ガラス溝にはガラスビード又はガスケットが取付けられて、ガラスを保護すると共にガラス溝から外れない取付け構造と成っている。
【０００３】
図８、図９は従来のガラス間仕切りパネル装置を示す具体例であり、縦断面と横断面を表している。同図に示すように、ガラス（イ）、（イ）が両面側に嵌っていて、ガラス枠との間に大きな段差を与えることなくほぼ面一な面を構成している。垂直に起立したスタッド（ロ）、（ロ）間にはガラス枠が取付けられ、このガラス枠の両面側に設けているガラス溝（ハ）、（ハ）にガラス（イ）が嵌っている。
【０００４】
ガラス枠は上桟（ニ）、下桟（ホ）、及び両縦桟（ヘ）、（ヘ）にて枠組され、そして上桟（ニ）と下桟（ホ）の間に２本の中桟（ト）、（ト）を取付けている。中桟（ト）は縦桟側からネジ止めされているが、このように枠組されたガラス枠はガラス（イ）を嵌めることなく据付られ、該ガラス枠が取付けられた状態で、最後にガラス（イ）をガラス溝（ハ）に嵌めることが出来る。ここで、枠組されたガラス枠のガラス溝（ハ）にガラス（イ）を嵌める為に、縦桟（ヘ）、（ヘ）は補助部材（チ）を設けていて、これを取外すことで表面側を開口することが出来る構造としている。
【０００５】
そしてガラス枠はガラス溝（ハ）にゴム等の弾性体（リ）とガスケット（ヌ）を介してガラス（イ）を取付ける構造と成っている為に、ガラス枠を枠組みし、これを据付した後で該ガラス（イ）をガラス溝（ハ）に嵌めることが出来る。すなわち、ガラス溝（ハ）の内側に弾性体（リ）を設けてガラス（イ）を嵌め、該ガラス（イ）が外れないようにガスケット（ヌ）を取付けている。又、下桟（ホ）のガラス溝（ハ）及び中桟（ト）のガラス溝（ハ）にはガラス（イ）が載る弾性体（リ）を設けている。
【０００６】
ところで、床面には床レール（ル）が敷設・固定され、この床レール（ル）に配置されているアジャスター装置（オ）に載って巾木（ワ）が所定の高さに支えられている。巾木（ワ）は門形断面をした長尺材であって、床レール（ル）及びアジャスター装置（オ）を被覆している。そして、該巾木（ワ）の上に前記ガラス枠が載置され、ガラス枠の上端は天井レール（カ）と連結している。天井レール（カ）は天井に取着された門形断面の長尺材であり、この天井レール（カ）はガラス枠体の上桟（ニ）の開口に嵌って連結している。
【０００７】
このように、ガラス（イ）、（イ）・・をガラス枠の両面側に取付けることで、ガラス枠との間に大きな段差なくほぼ同一面となるが、表面側に設けているガスケット（ヌ）が大きく表面化し、ガラスパネル並びにガラス間仕切り装置の外観が損なわれる虞がある。取付け方によっては上記ガスケット（ヌ）がガラス溝に呑み込まれる場合もあり、表面化するガスケット（ヌ）が一定しないことが多い。
【０００８】
前記図８、図９は特開２００４−２３２３１１号に係る「二重ガラス間仕切り装置」に関するものであり、その他にも色々なガラスの取付け構造が知られているが、基本的な取付け構造はガラス溝にガスケットを介してガラスが嵌って構成している。
実開平４−１１６５１２号に係る「ガラスパネル及びガラス間仕切り構造」は、両縦桟及び上下桟、時には中桟を入れて枠体を枠組みし、該枠体の正面外周辺部に形成したガラス溝にはガラスを嵌め込んでガラスパネルとし、ガラス溝にはガスケットが取付けられている。
【０００９】
特開平８−６０７６７号に係る「ガラス間仕切り」は、前後のガラス間隔を大きく取ることによりブラインド等の内蔵を可能とし、ガラスの交換も容易で、各種施工方法にも容易に対応することができる二重ガラス構造のガラス間仕切りである。
すなわち、 タッピングホールを有する形材をタッピングネジで結合してガラス枠を四方組し、ガラス枠の背面に固着した枠取付けピースを介してガラス枠を支柱に取付けるとともに、ガラス枠の前面側に係合するガラス固定枠との間に形成したガラス装着溝にパッキンを介してガラスを装着している。
【特許文献１】特開２００４−２３２３１１号に係る「二重ガラス間仕切り装置」
【特許文献２】実開平４−１１６５１２号に係る「ガラスパネル及びガラス間仕切り構造」
【特許文献３】特開平８−６０７６７号に係る「ガラス間仕切り」
【発明の開示】
【発明が解決しようとする課題】
【００１０】
このように、従来のガラス間仕切り装置におけるガラスの取付け構造には上記のごとき問題がある。本発明が解決しようとする課題はこれら問題点であり、ガラスパネル並びにガラス間仕切り装置の外観を向上することが出来、又表面に押圧力が作用してもガラスが大きく撓むことのない安定したガラスの取付け構造を提供する。
【課題を解決するための手段】
【００１１】
本発明はガラスパネルにおけるガラスの取付け構造に係るものであり、ガラスはガラス枠に形成したガラス溝に嵌められる。ガラス枠は両縦枠と上枠及び下枠を枠組みした構造とし、ガラス枠の両面側内周にガラス溝が設けられ、このガラス溝にガラスが嵌る。そして、内側と外側にはガラスビードが取付けられ、ガラスは両ガラスビードにて挟持される。又、下枠のガラス溝の底には弾性材が設けられ、ガラスは該弾性材の上に載って支持される。
【００１２】
ところで、外側のガラスビードはガラス溝を構成するガラス枠の外片内面に設けた係止溝に係止片が係止して取付けられる。一方、内側ガラスビードも同じくガラス溝の内片に設けた係止溝に係止片が係止し、さらに内側ガラスビードには突片が設けられ、この突片はガラス溝入口付近に設けた凹溝に嵌合して取付けられる。ところで、本発明ではガラス枠自体の具体的な組立て構造並びにガラス溝の具体的な構造は特に限定しないことにする。
【発明の効果】
【００１３】
本発明ではガラス枠に設けたガラス溝にガラスを嵌めてガラスパネルを構成しているが、該ガラス溝の内側と外側にはガラスビードが取付けられ、ガラスは両ガラスビードに挟まれた状態でガラス溝に嵌って取付けられる。内側ガラスビード及び外側ガラスビードはガラス溝内面に形成した係止溝に係止して取付けられる為に外れ落ちることはなく、又所定の位置から位置ズレすることもない。
【００１４】
そして、ガラスビードは嵌入片と表片を有して概略Ｌ形断面を成し、該表片はガラス溝に嵌ることはなく、外側ガラスビードが表面化する表片は小さくて常に一定し、その為にガラスパネルにおけるガラスの面積が大きく確保され、ガラスパネルの外観は向上する。
【００１５】
又、内側ガラスビードには突片が設けられ、この突片はガラス枠体に形成した凹溝に嵌合することで、ガラス表面に押圧力が作用した場合、ガラスの撓みを抑制できる。内側ガラスビードはガラス溝の入口部に取付けられる為に、嵌入片はガラス溝に嵌るが表片はガラス溝に嵌らないで外に位置し、その為に該表片に上記突片を設けて凹溝に嵌合することが可能と成り、ガラスを安定して取付けることが出来る。
【実施例】
【００１６】
図１はガラス間仕切り装置の正面図であり、４枚のガラスパネル１ａ，１ｂ，１ｃ，１ｄを段積みした構造とし、各ガラスパネル１ａ，１ｂ・・は横長を成して床面２から天井３まで延びている。そして、段積みされたガラスパネル１ａ，１ｂ・・の両側にはスタッド４，４が起立し、該スタッド４，４を介して隣にも同じく段積みしてガラスパネル１ａ，１ｂ・・が据付けられる。
【００１７】
図２はガラスパネル１を構成するガラス枠５を示している実施例であり、該ガラス枠５は両縦枠６，６、上枠７、及び下枠８がＬ形金具９，９・・にて枠組みして構成している。このガラス枠５には２枚のガラスが表側と裏側に嵌められてガラスパネル１となるが、段積みして取付けられたガラス枠５にガラスを嵌めることが出来るように縦枠６，６は１本の第１縦材と２本の第２縦材の３ピース構造と成っている。そして、該第２縦材は取外してガラスを嵌め、嵌めたガラスが外れないように第２縦材を第１縦材に取付けている。
【００１８】
図３はガラスパネル１ａ，１ｂ・・を４段積み構造とした縦断面図を示している。同図に示しているように、ガラス枠５にはその両面にガラス１０，１０が嵌められ、その為に、該ガラス枠５の両面側内周にはガラス溝１１，１１・・を形成している。そして、下枠８に設けているガラス溝１１，１１の底には弾性材１２，１２を配置し、この弾性材１２，１２にガラス１０，１０が載っている。
【００１９】
ところで、最下端に位置するガラスパネル１ａの下側凹部には下枠８aに沿って門形ガイド１３が取付けられ、床に敷設されている床レール１５の内側に嵌ってガイドしている。そして、ガラスパネル１ａは垂直に起立するスタッド４にネジ止めされて取着される。ここで、該スタッド４はアジャスター１４にて適度な高さに支持されている。スタッド４への取付けは、ガラスパネル１ａのガラス枠５をＬ形金具９にて枠組みする為のネジが兼用される。勿論、独立して枠組みしたガラスパネル１ａをスタッド４に固定することも可能である。そして、ガラスパネル１ａの上にはガラスパネル１ｂが載り、その上にはガラスパネル１ｃが積み上げられ、さらにその上にはガラスパネル１ｄが載っている。
【００２０】
これら各ガラスパネル１ｂ，１ｃ，１ｄも、その縦枠６がスタッド４にネジ止めして取着されている。ガラスパネル１ｄの上枠７ｄには凹部が形成され、該凹部には門形ガイドが上枠に沿って取着され、そして天井に敷設した天井レール１６が嵌合して位置決めされている。このように、下段のガラスパネル１ａと上段のガラスパネル１ｄでは、その下枠８ａと上枠７ｄは他のガラスパネル１ｂ，１ｃの上・下枠とは断面形状が違っている。
【００２１】
図４は２枚のガラスパネル１ａ，１ｂを段積みした間仕切り装置の縦断面を表している。この間仕切り装置の下段のガラスパネル１ａの高さは大きく、上段のガラスパネル１ｂの高さは低く成っている。前記図３に示したガラス間仕切り装置の縦断面の場合と同じように、下段のガラスパネル１ａの下枠８ａに形成した凹部には該下枠８ａに沿って門形ガイド１３が取付けられ、床面に敷設した床レール１５が該門形ガイド１３の外側に嵌っている。
【００２２】
そして、上段のガラスパネル１ｂの上枠７ｂの凹部にも門形ガイドが取付けられ、天井レール１６が嵌っている。一方、複数のガラスパネル１ａ，１ｂ・・を段積みすることなく、ガラスパネル１の高さを天井レール１６まで届く大きさとし、中間に中桟を縦枠に取付けた構造とすることも可能である。この場合には、中桟の上側と下側にガラス溝を設ける。
【００２３】
図５はガラスパネル１がスタッド４に連結する横断面の一部で、ガラス１０が嵌る縦ガラス溝１１ａを表している。同図の４はスタッドを表し、縦枠６の外側には凹部２０が設けられ（図２参照）、この凹部２０にスタッド４が嵌合する。すなわち、縦枠６はスタッド４を抱くように配置され、マグネット２１を介してスタッド間の隙間をなくしている。勿論、ガラスパネル１の取付けはスタッドへのネジ止めにて行われている。
【００２４】
ところで、縦枠６は１本の第１縦材２２と２本の第２縦材２３の組合せ構造とし、第２縦材２３，２３は第１縦材２２の両面側に着脱可能に取付けられている。第１縦材２２は概略コ形断面の長尺材で、スタッド４の表面に沿って延びる内片２４を有し、該内片２４には２本のアーム２５，２６を外方向へ延ばしている。第２縦材２３は概略Ｌ形断面の長尺材で、外片２７と挿入片２８を有し、挿入片２８は両アーム２５、２６の間に形成される挿入溝２９に嵌っている。
【００２５】
挿入片２８は突部３０を有し、この突部３０はアーム２６の先端に形成している掛止部３１に係止し、その結果、第２縦材２３は外れないようになる。ガラス溝１１に嵌ったガラス側端は内側ガラスビード３２と外側ガラスビード３３とで挟まれて、第２縦材２３の外片２７の先端を外方向へ押出す力が作用し、その為に、突部３０は掛止部３１から離脱することはない。
【００２６】
ところで、ガラス１０をガラス溝１１に嵌める場合には、第２縦材２３を取外してガラス溝１１を開口した状態で嵌めることが出来る。この場合、縦ガラス溝１１ａの内側には内側ガラスビード３２が取付けられており、ガラス１０を嵌めて第２縦材２３を取付けた後で外側ガラスビード３３をガラス１０と外片２７との間に嵌め込む。従って、第２縦材２３の外片２７の先端は外側ガラスビード３３が取付けられることで、外方向へ押圧させる力が作用し、その結果、挿入片２８の先端はアーム２５を押圧し、突部３０は掛止部３１に係止する。
【００２７】
ここで、縦ガラス溝１１ａに嵌ったガラス１０の側端はアーム２５との間に適度な大きさのクリアランス３４を残している。同じく、下枠８の下ガラス溝１１ｃの底に設けた弾性材１２に載ったガラス１０はその上端は上枠７の上ガラス溝１１ｃに嵌っているが、この上ガラス溝底との間には十分なクリアランスを有している。
【００２８】
従って、大きな地震が発生してガラス枠５が変形しても、ガラス溝１１に残されているクリアランス３４，３４・・によってガラス１０が割れることはない。一方、スタンド４を間にして連結している縦枠６，６間の目地空間は非常に小さくなり、約２ｍｍ程度としている。本発明ではガラス枠５を正面側にてスタッド４にネジ止めする連結構造でない為に、すなわちネジ止めするに必要な目地空間を必要としない為に、十分に小さくすることが出来る。
【００２９】
図５に示す縦枠６は上記のごとく概略コ形断面の第１縦材の両面側に概略Ｌ形断面の第２縦材を取付けた３ピース構造とし、ガラス１０の側端が嵌る縦ガラス溝１１ａは第１縦材２２の内片２４及び第２縦材２３の外片２７とで形成しているが、本発明ではこの縦材６の具体的な構造並びに縦ガラス溝１１ａの構造は同図に示す場合に限定するものではない。
【００３０】
ところで、内側ガラスビード３２は縦枠６に設けた縦ガラス溝１１ａの内片２４の入口部に形成した係止溝３６に係止片３７が係止し、又凹溝３８に突片３９が嵌合して取付けられる。又、外側ガラスビード３３は縦ガラス溝１１ａの外片２７に形成した係止溝３６に係止片３７が係止して取付けられている。
【００３１】
図６は天井側における縦断面の一部を示した場合であり、上ガラス溝１１ｂにガラス１０の上端が嵌っている状態である。ガラス枠５の上枠７には上ガラス溝１１ｂが形成され、この上ガラス溝１１ｂにガラス１０の上端が嵌っているが、内側には内側ガラスビード３２が取付けられ、外側には外側ガラスビード３３を取付けている。
【００３２】
前記図５で示した縦枠６の場合と同じく、ガラス１０は上ガラス溝１１ｂに嵌った内側ガラスビード３２と外側ガラスビード３３に挟まれている。ここで、内側ガラスビード３２は上枠７の設けた上ガラス溝１１ｂの内片３５の入口部に形成した係止溝３６に係止片３７が係止し、又凹溝３８に突片３９が嵌合して取付けられる。外側ガラスビード３３は上ガラス溝１１ｂの外片４０に形成した係止溝３６に係止片３７が係止して取付けられている。
【００３３】
図７は床側における縦断面であり、ガラス枠５の下枠８には下ガラス溝１１ｃが形成され、この下ガラス溝１１ｃにガラス下端が嵌っている。しかも、上ガラス溝１１ｂの場合と同じく、ガラス下端は内側ガラスビード３２と外側ガラスビード３３に挟まれた状態で下ガラス溝１１ｃに嵌っている。そして下ガラス溝１１ｃの底には弾性材１２が配置され、ガラス１０はこの弾性材１２に載って支持されている。
【００３４】
そして、内側ガラスビード３２は下枠８に設けた下ガラス溝１１ｃの内片３５の入口部に形成した係止溝３６に係止片３７が係止し、又凹溝３８に突片３９が嵌合して取付けられる。外側ガラスビード３３は下ガラス溝１１ｃの外片４０に形成した係止溝３６に係止片３７が係止して取付けられている。
【００３５】
ところで、複数枚のガラスパネル１ａ，１ｂ・・を段積みした前記図３、図４に示すガラス間仕切り装置の場合、スタッド４に連結する横断面構造は前記図５に示しているように構成出来る。又、中間に位置するガラスパネル１ｂ，１ｃの上枠７に形成される上ガラス溝１１ａ、及び下枠８に形成される下ガラス溝１１ｃにも内側ガラスビード３２及び外側ガラスビード３３が取付けられ、その取付け構造は前記図６、図７にて説明した場合と同じである。
【図面の簡単な説明】
【００３６】
【図１】ガラス間仕切り装置の外観図。
【図２】ガラスが嵌るガラス枠の具体例。
【図３】ガラス間仕切り装置の縦断面図。
【図４】ガラス間仕切り装置の縦断面図。
【図５】ガラスの取付け構造を示す横断面図。
【図６】天井側でのガラスの取付け構造を示す縦断面図。
【図７】床側でのガラスの取付け構造を示す縦断面図。
【図８】従来のガラス間仕切り装置の縦断面図。
【図９】従来のガラス間仕切り装置の横断面図。
【符号の説明】
【００３７】
１  ガラスパネル
２  床面
３  天井
４  スタッド
５  ガラス枠
６  縦枠
７  上枠
８  下枠
９  Ｌ形金具
10  ガラス
11  ガラス溝
12  弾性材
13  門形ガイド
14  アジャスター
15  床レール
16  天井レール
20  凹部
21  マグネット
22  第１縦材
23  第２縦材
24  内片
25  アーム
26  アーム
27  外片
28  挿入片
29  挿入溝
30  突部
31  掛止部
32  内側ガラスビード
33  外側ガラスビード
34  クリアランス
35  内片
36  係止溝
37  係止片
38  凹溝
39  突片
40  外片
【図１】
0005176207.tif 000002
【図２】
0005176207.tif 000003
【図３】
0005176207.tif 000004
【図４】
0005176207.tif 000005
【図５】
0005176207.tif 000006
【図６】
0005176207.tif 000007
【図７】
0005176207.tif 000008
【図８】
0005176207.tif 000009
【図９】
0005176207.tif 000010